(57)【要約】【課題】導光板の外周部に光源を配置した場合であっても、天井も照らして空間全体を明るくできる照明器具を提供する。【解決手段】照明器具の光源ユニット１１は段状導光板２００を備えている。段状導光板２００は第１導光板２１０と第２導光板２２０とを備えている。第１導光板２１０は、上面２１１と、発光面となる底面２１２と、上面２１１と底面２１２とを接続し発光面となる側面２１３とを持つ板状の導光板である。第２導光板２２０は、第１導光板２１０の上面２１１のうち上面２１１の外周２１１ａよりも内側から立ち上がる板状であり、光が入射する光入射面２２２を持つ。ヒートシンク１１２に固定されているＬＥＤ素子１１１ａは第２導光板２２０の光入射面２２２に光を入射する。【選択図】図４
2019133829.tif 000002
【特許請求の範囲】
【請求項１】
上面と、発光面となる底面と、前記上面と前記底面とを接続し発光面となる側面とを持つ板状の第１導光板と、前記第１導光板の前記上面のうち前記上面の外周よりも内側から立ち上がる板状であり、光が入射する光入射面を前記板状の側面に持つ第２導光板とを有する段状導光板と、
前記第２導光板に光を入射する光源と
を備える照明器具。
【請求項２】
前記段状導光板の前記上面には、
光が透過しない遮光部材が、前記第２導光板が立ち上がる領域の外側の外側領域のうちの少なくとも一部に配置されている請求項１に記載の照明器具。
【請求項３】
前記照明器具は、さらに、前記光源が固定されている光源固定部を備えており、
前記第２導光板の前記側面には、前記光入射面と前記上面との間に、前記光源固定部を保持する保持部が形成されている請求項１または請求項２に記載の照明器具。
【請求項４】
前記第１導光板の前記側面は、前記第２導光板に向かって倒れる向きに傾斜している請求項１から請求項３のいずれか一項に記載の照明器具。
【発明の詳細な説明】
【技術分野】
【０００１】
この発明は、導光板を有する照明器具に関する。
【背景技術】
【０００２】
ＬＥＤ素子を導光板の外周に配置して発光面を均一に光らせることにより、意匠性を向上させる照明器具がある（例えば、特許文献１）。
【０００３】
また、天井も照らして空間全体を明るくするように、発光面に立ち上がり部が形成された照明器具も現在ある（例えば、特許文献２）。
【先行技術文献】
【特許文献】
【０００４】
【特許文献１】特開２００９−２８３１９７号公報
【特許文献２】特開２０１３−１１８１５０号公報
【発明の概要】
【発明が解決しようとする課題】
【０００５】
導光板の外周部にＬＥＤ素子を配置するには、枠のようなＬＥＤ保持部材を導光板の周囲に形成する必要がある。その場合、枠によって、天井を照らすための「発光面の立ち上がり部」の形成が困難となる。
【０００６】
この発明は、導光板の外周部に光源を配置した場合であっても、天井も照らして空間全体を明るくできる照明器具の提供を目的とする。
【課題を解決するための手段】
【０００７】
この発明の照明器具は、
上面と、発光面となる底面と、前記上面と前記底面とを接続し発光面となる側面とを持つ板状の第１導光板と、前記第１導光板の前記上面のうち前記上面の外周よりも内側から立ち上がる板状であり、光が入射する光入射面を前記板状の側面に持つ第２導光板とを有する段状導光板と、
前記第２導光板に光を入射する光源と
を備える。
【発明の効果】
【０００８】
本発明の照明器具は、段状導光板を備えているので、段状導光板の外周部に光源を配置した場合であっても、第１導光板の側面によって天井も照らして、空間全体を明るくすることができる。
【図面の簡単な説明】
【０００９】
【図１】実施の形態１の図で、照明器具１の斜視図。
【図２】実施の形態１の図で、照明器具１の分解斜視図。
【図３】実施の形態１の図で、光源ユニット１１の分解斜視図。
【図４】実施の形態１の図で、光源ユニット１１の断面図。
【図５】実施の形態１の図で、照明器具１の断面及び側面を示す図。
【図６】実施の形態１の図で、光源ユニット１１の断面分解図。
【図７】実施の形態１の図で、変形例の照明器具１−１を示す図。
【図８】実施の形態１の図で、変形例の照明器具１−２を示す図。
【発明を実施するための形態】
【００１０】
実施の形態１．
図１から図６を用いて照明器具１の構成を説明する。
図１は、照明器具１の斜視図である。図１に示すように天井３００の方向を上方向Ｚ１、床方向を下方向Ｚ２と呼ぶ。
図２は、照明器具１の分解斜視図である。
図３は、光源ユニット１１の分解斜視図である。
図４は、光源ユニット１１の断面図である。図４では、ハッチングは省略している。
図５は、天井埋込形である照明器具１の断面及び側面を示す図である。左側は断面、右側は側面を示す。
図６は、光源ユニット１１の断面分解図である。
図６は、光源ユニット１１の断面の端部のみを示している。
【００１１】
＜＊＊＊構成の説明＊＊＊＞
図１、図２に示すように、照明器具１は、外郭形状がスクエア形状である。
図２に示すように、照明器具１は、本体１０と光源ユニット１１を備えている。
照明器具１は、天井埋込形の本体１０に対して光源ユニット１１が着脱できる構造である。
【００１２】
本体１０は、ケース１００、２つの本体側取付バネ１０１、２つの本体側取付金具１０２、電源端子台１０３を備えている。
電源端子台１０３は、外部から引き込まれる電源線が取り付けられる。
ケース１００は、矩形の形状の天板１００ａの四つの辺のそれぞれから起立する側部１００ｂを有している。
図４に示すように、側部１００ｂの先端からは、側部１００ｂから垂直方向かつ外側に鍔部１００ｃが張り出している。
【００１３】
２つの本体側取付バネ１０１は光源ユニット１１の有する後述の光源側取付金具１１５と組み合い、２つの本体側取付金具１０２は光源ユニット１１の有する後述の光源側取付バネ１１４と組み合うことで、光源ユニット１１が本体１０に取り付けられる。
２つの本体側取付バネ１０１及び２つの光源側取付バネ１１４は、光源ユニット１１を本体１０側へ引き込むように保持している。
【００１４】
図３に示すように、光源ユニット１１は以下の構成である。
光源ユニット１１は、ベース１１０と、ヒートシンク１１２と、段状導光板２００と、を備えている。
（１）ベース１１０には、点灯装置１１３と、２つの光源側取付バネ１１４と、２つの光源側取付金具１１５とが配置されている。
（２）ヒートシンク１１２には、ＬＥＤモジュール１１１が配置される。
ＬＥＤモジュール１１１は、基板１１１ｂと、基板１１１ｂに実装されたＬＥＤ素子１１１ａとを備えている。
（３）段状導光板２００には、ＬＥＤモジュール１１１が配置されたヒートシンク１１２が取り付けられる。
ＬＥＤモジュール１１１は、ヒートシンク１１２のＬＥＤ保持部１１２ｂに取り付けられている。
ＬＥＤモジュール１１１の各ＬＥＤ素子１１１ａの発光面は、照明器具１の内側に向くように配置されている。
つまり、ＬＥＤモジュール１１１の各ＬＥＤ素子１１１ａの発光面は、段状導光板２００の光入射面２２２（図４）に対向している。
光源であるＬＥＤ素子１１１ａは、第２導光板２２０に光を入射する。
【００１５】
図３、図４に示すように、ベース１１０は、矩形の天板１１０ａの四つの辺のそれぞれから起立する側部１１０ｂを有している。
図４に示すように、天板１１０ａにはネジ１１７のネジ部が貫通する貫通孔１１０ｃが形成されている。
図３に示すように、天板１１０ａには、点灯装置１１３、光源側取付バネ１１４、光源側取付金具１１５が配置されている。
【００１６】
ヒートシンク１１２の構成は以下のようである。
ヒートシンク１１２は長手形状である。
ヒートシンク１１２は、長手形状の板状体の底部１１２Ａと、底部１１２Ａの表面から長手方向に沿って起立する壁形状の一対の壁部１１２Ｂと、底部１１２Ａの長手方向に沿う２つの側辺のうち一方の側辺から起立する側部１１２Ｄを有する。
（１）側部１１２Ｄは、段状導光板２００に形成されている保持部２２３に引っ掛けられて保持部２２３に保持される引掛け部１１２ａである。
（２）一対の壁部１１２Ｂのうち、側部１１２Ｄに近い壁部１１２Ｂの側面は、ＬＥＤモジュール１１１を保持するＬＥＤ保持部１１２ｂである。
（３）底部１１２Ａにおいて２つの壁部１１２Ｂが起立する起立面１１２ｅの裏面は、反射面１１２ｃである。
（４）一対の壁部１１２Ｂは、ネジ１１７を受けるネジ留め部１１２ｄを構成している。
【００１７】
図３、図４、図６に示すように、段状導光板２００は、第１導光板２１０と第２導光板２２０とを有する。
段状導光板２００は、第１導光板２１０の上に第２導光板２２０が形成された形状である。
段状導光板２００は一体である。
【００１８】
第１導光板２１０は、上面２１１と、発光面となる底面２１２と、上面２１１と底面２１２とを接続し発光面となる側面２１３とを持つ板状の導光板である。
底面２１２は、メイン発光面である。
側面２１３は、発光する発光面立ち壁である。
第２導光板２２０は、第１導光板２１０の上面２１１のうち上面２１１の外周２１１ａよりも内側から立ち上がる板状であり、光が入射する光入射面２２２を板状の側面２２１に持つ。
段状導光板２００の上面２１１には、光が透過しない遮光部材９０１が、第２導光板２２０が立ち上がる領域の外側の外側領域のうちの少なくとも一部に配置されている。
実施の形態１では、遮光部材９０１はヒートシンク１１２の底部１１２Ａである。
また、ヒートシンク１１２は光源が固定されている光源固定部９０２を兼ねている。
第２導光板２２０の側面２２１には、光入射面２２２と上面２１１との間に、光源固定部９０２であるヒートシンク１１２を保持する保持部２２３が形成されている。
保持部２２３は第２導光板２２０の側面２２１が凹形状に窪んだ部分である。
この保持部２２３にヒートシンク１１２の引掛け部１１２ａが引っ掛けられて嵌る。
図４、図６に示すように、第１導光板２１０の側面２１３は、第２導光板２２０に向かって倒れる向きに傾斜している。
【００１９】
本体１０と光源ユニット１１とは、本体１０への光源ユニット１１の取付け時に、電源端子台１０３及び点灯装置１１３の両者のハーネスが接続されることにより電気的に接続されて、ＬＥＤ素子１１１ａが点灯装置１１３により点灯可能になる。
【００２０】
ＬＥＤモジュール１１１が取付けられた４つのヒートシンク１１２は、それぞれ、引掛け部１１２ａが保持部２２３に嵌められて、第１導光板２１０の上面２１１の４辺に沿って、段状導光板２００に取り付けられる。
このとき、複数のＬＥＤ素子１１１ａは光入射面２２２に沿って配置され、光入射面２２２に対向する。
【００２１】
図３に示すように、段状導光板２００に配置された４つのヒートシンク１１２は、複数のネジ１１７がそれぞれのヒートシンク１１２のネジ留め部１１２ｄに締付けされることにより、ベース１１０の四辺に固定される。
【００２２】
図４に示すように、ヒートシンク１１２の引掛け部１１２ａが段状導光板２００の保持部２２３に嵌ることで、引掛け部１１２ａが段状導光板２００の重量を支え、段状導光板２００はヒートシンク１１２に支持される。
【００２３】
図１、図４からわかるように、天井３００に設置された照明器具１を下方から見上げたときには、各ＬＥＤ素子１１１ａはヒートシンク１１２の反射面１１２ｃに隠れる。
このため、各ＬＥＤ素子１１１ａは、人が下方から見上げたときには直接見えない位置に隠れているため、各ＬＥＤ素子１１１ａの直射光が人の目に入らない。
【００２４】
図４に示すように、反射面１１２ｃでＬＥＤ素子１１１ａからの光が反射することより、光が段状導光板２００の上面２１１から本体１０の上方向Ｚ１に抜けてしまうことを防ぐことができる。
これにより、照明器具１を下から見上げた時に、段状導光板２００の周囲が暗くならない。
【００２５】
ＬＥＤ素子１１１ａからの光は、メイン発光面である底面２１２から出射された場合は下方向Ｚ２に照射される光１１８となり、床面を照らす。
ＬＥＤ素子１１１ａから出射されて底面２１２で全反射され、発光面立ち壁である側面２１３から出射された光は、天井方向に照射される光１１９となり、天井面を照らす。
【００２６】
ネジ１１７を受けるネジ留め部１１２ｄによって形成される空間１１２Ｅ（図６）は、点灯装置１１３からＬＥＤモジュール１１１に電力を供給するための配線を収納するスペースに利用できる。
【００２７】
なおベース１１０は板状の金属で作られている。
ベース１１０の周囲四辺からは、下向きに箱状に折り曲げられた４つの側部１１０ｂが形成されている。
ベース１１０はヒートシンク１１２と組み合わさる時に、各側部１１０ｂが位置決めのガイドとなる。
よって、この位置決めによって光源ユニット１１が組み立てやすくなっている。
【００２８】
図５、図７、図８は、光源ユニット１１が本体１０に取り付けられた状態を示す。
光源ユニット１１は、ヒートシンク１１２の起立面１１２ｅが本体１０の鍔部１００ｃと当接して、本体１０へ固定される。
よって、光源ユニット１１が本体側取付バネ１０１により本体１０に引っ張られている状態にあっても、ヒートシンク１１２の起立面１１２ｅが本体１０の鍔部１００ｃとの間で面接触するので、ヒートシンク１１２と本体１０との間の接触による負荷を低減できる。
また、図１からわかるように、光源ユニット１１が本体１０に取り付けられた場合は、ＬＥＤモジュール１１１は本体１０の内部に収容される。
よって、本体１０から高さ方向（下方向Ｚ２）へ突き出る量が少ないので、照明器具１を薄くできる。
【００２９】
＜＊＊＊実施の形態１の効果の説明＊＊＊＞
実施の形態１の照明器具１は、ＬＥＤ素子１１１ａを保持するためのＬＥＤ保持部材であるヒートシンク１１２をメイン発光面である底面２１２よりも天井側に配置している。
よって、第１導光板２１０の側面２１３を室内空間に露出させて、ＬＥＤ素子から出射された光を側面２１３から照射させることができる。
【００３０】
また、ヒートシンク１１２の底部１１２ＡがＬＥＤ素子１１１ａと第１導光板２１０の上面２１１との間に位置する。このため、ＬＥＤ素子１１１ａからの直射光が人の目に入らない効果がある。
【００３１】
第２導光板２２０は光入射面２２２と上面２１１との間にヒートシンク１１２を保持する保持部２２３を有している。
このため、ＬＥＤ保持部材であるヒートシンク１１２を段状導光板２００に取り付ける際に、段状導光板２００が光入射面と干渉することを防ぐことができる。
【００３２】
発光面立ち壁である側面２１３は、第２導光板２２０に向かって倒れる向きに傾斜しているので、側面２１３から出射された光が天井３００を照らしやすくなり、空間を明るくする効果が向上する。
また、照明器具を取り外す際に施工者の指が傾斜している側面２１３に掛けられるので、光源ユニット１１が下方向Ｚ２に引き下げやすくなる効果がある。
【００３３】
＜変形例１＞
図７は、変形例１である、天井３００への直付け形の照明器具１−１を示している。
図７では、右半分を側面図として、左半分を断面図として示している。
照明器具１−１は照明器具１に対して、ケース１００の形状が異なっている他は、本体１０への光源ユニット１１の取り付け方法及び光源ユニット１１の構成は、照明器具１と同じである。
【００３４】
＜変形例２＞
図８は、変形例２である、照明器具１−２を示す。
図８に示すように、照明器具１−２では、本体１０のケース１００の内面１００ｅと段状導光板２００との間に隙間９０４を設けている。
この隙間９０４は、光源ユニット１１を本体１０に対して着脱する為に形成されている。
なお、光源ユニット１１は、段状導光板２００の側面２１３からも光を出射するので、隙間９０４により本体１０の内部空間に暗がりができるのを抑制できる。
【００３５】
＜追加変形例＞
本体側取付バネ１０１及び光源側取付バネ１１４として、図２、図３では本体側取付バネ１０１は板バネの形状のバネ、光源側取付バネ１１４は線バネの形状のバネを示した。しかし、本体側取付バネ１０１及び光源側取付バネ１１４は、図２、図３に示した以外の形状のバネでも構わない。
また以上の実施の形態では四角形状の光源ユニットを示したが、光源ユニットは四角形状に限らず三角形状でもよいし、五角以上の多角形の形状でもよいし、円形でも良いし楕円形でもよい。
また、４つのヒート１１２の全部にＬＥＤモジュール１１１が配置されている。しかし、ＬＥＤモジュール１１１は、いずれか３つのヒート１１２に配置されても良いし、いずれか２つのヒート１１２に配置されても良いし、いずれか１つのヒート１１２に配置されても良い。いずれか２つのヒート１１２にＬＥＤモジュール１１１が配置される場合、第２導光板２２０を隔てて対向する２つのヒート１１２に配置されるのが好ましい。
【符号の説明】
【００３６】
１  照明器具、１０  本体、１００  ケース、１００ａ  天板、１００ｂ  側部、１００ｃ  鍔部、１００ｅ  内面、１０１  本体側取付バネ、１０２  本体側取付金具、１０３  電源端子台、１１  光源ユニット、１１０  ベース、１１０ａ  天板、１１０ｂ  側部、１１０ｃ  貫通孔、１１１  ＬＥＤモジュール、１１１ａ  ＬＥＤ素子、１１２  ヒートシンク、１１２Ａ  底部、１１２Ｂ  壁部、１１２Ｄ  側部、１１２Ｅ  空間、１１２ａ  引掛け部、１１２ｂ  ＬＥＤ保持部、１１２ｃ  反射面、１１２ｄ  ネジ留め部、１１２ｅ  起立面、１１３  点灯装置、１１４  光源側取付バネ、１１５  光源側取付金具、１１７  ネジ、１１８  下方向に照射される光、１１９  天井方向に照射される光、２００  段状導光板、２１０  第１導光板、２１１  上面、２１１ａ  外周、２１２  底面、２１３  側面、２２０  第２導光板、２２１  側面、２２２  光入射面、２２３  保持部、３００  天井、９０１  遮光部材、９０２  光源固定部、９０４  隙間。
【図１】
2019133829.tif 000003
【図２】
2019133829.tif 000004
【図３】
2019133829.tif 000005
【図４】
2019133829.tif 000006
【図５】
2019133829.tif 000007
【図６】
2019133829.tif 000008
【図７】
2019133829.tif 000009
【図８】
2019133829.tif 000010